(57)【要約】【課題】  伸縮可能で、かつ、手摺の底面と目地プレートの間の隙間を塞ぐことができる手摺を提供すること。【解決手段】  左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられた閉塞部材取付部と、該閉塞部材取付部にそれぞれ取り付けられ、床面との間の隙間を塞ぐ閉塞部材とで構成され、前記一方の端部手摺は、その内側面に支持レールを備え、前記中間手摺の一端部側には該支持レールを転動する転動部材を備える。【選択図】  図１
2018145588.tif 000002
【特許請求の範囲】
【請求項１】
左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられた閉塞部材取付部と、該閉塞部材取付部にそれぞれ取り付けられ、床面との間の隙間を塞ぐ閉塞部材とで構成され、
前記一方の端部手摺は、その内側面に支持レールを備え、前記中間手摺の一端部側には該支持レールを転動する転動部材を備える手摺。
【請求項２】
前記一方の手摺は、フレーム状の一方の手摺本体と、この一方の手摺本体の表面を覆うように固定された化粧板とで構成され、前記閉塞部材取付部は該化粧板に形成されており、
前記他方の手摺は、フレーム状の他方の手摺本体と、この他方の手摺本体の表面を覆うように固定された化粧板とで構成され、前記閉塞部材取付部は該化粧板に形成されており、
前記中間手摺は、フレーム状の中間手摺本体と、この中間手摺本体の表面を覆うように固定された化粧板とで構成され、前記閉塞部材取付部は該化粧板に形成されていることを特徴とする請求項１に記載の手摺。
【請求項３】
前記一方の端部手摺、中間手摺及び他方の端部手摺の下端部は、略同じ高さに形成されていることを特徴とする請求項１又は請求項２のいずれかに記載の手摺。
【発明の詳細な説明】
【技術分野】
【０００１】
本発明は目地部を介して設けられた躯体の間の目地部に設けられる手摺に関する。
【背景技術】
【０００２】
従来、目地部に設けられる手摺としては、「目地部を介して設けられた左右の躯体に他方の躯体方向へ突出するように設けられた一対の端部壁と、この一対の端部壁がそれぞれスライド移動可能に入り込む、該一対の端部壁の先端部が中央部に位置し、外側端部が一対の端部壁のほぼ中央部に位置する一対の筒状の可動壁と、この一対の筒状の可動壁がそれぞれスライド移動可能に入り込む外側端部が、該一対の筒状の可動壁のほぼ中央部に位置する一対の筒状の可動壁の約２倍の長さの筒状の中央壁と、両端部が前記一対の端部壁に取付けられ、地震により目地部が広くなったり、狭くなるように揺れ動いた場合に、前記中央壁を目地部の中央部に位置させるとともに、一対の筒状の可動壁をスライド移動させて、その揺れ動きを吸収する壁伸縮装置とからなることを特徴とする伸縮壁」が知られている（特許文献１）。
【０００３】
しかしながら、このような伸縮壁（手摺）は、手摺の底面が目地プレートよりも上方に浮いた状態で位置しており、かつ、筒状の壁部材に、小さい壁部材が入り込む構造となっているため、壁部材の底面に目地プレートとの隙間を塞ぐゴム等を設けることができなかった。
【０００４】
また、伸縮壁の底面が段差状になっているため、目地プレート側に隙間を塞ぐゴム等を設けることもできなかった。
そのため、例えば小銭や小物を誤って落としてしまった場合、手摺と目地プレートの隙間から落下物が階下に落ちるという危険があった。
【先行技術文献】
【特許文献】
【０００５】
【特許文献１】特許第４６３８５２０号公報
【発明の概要】
【発明が解決しようとする課題】
【０００６】
本発明は以上のような従来の欠点に鑑み、伸縮可能で、かつ、手摺の底面と目地プレートの間の隙間を塞ぐことができる手摺を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の手摺は、左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられた閉塞部材取付部と、該閉塞部材取付部にそれぞれ取り付けられ、床面との間の隙間を塞ぐ閉塞部材とで構成され、前記一方の端部手摺は、その内側面に支持レールを備え、前記中間手摺の一端部側には該支持レールを転動する転動部材を備える。
【発明の効果】
【０００９】
以上の説明から明らかなように、本発明にあっては次に列挙する効果が得られる。
（１）請求項１に記載の発明においては、一方の手摺（中央手摺）及び中間手摺の底面が開口しているので、一方の端部手摺、中間手摺及び他方の端部手摺の底部の閉塞部材取付部に閉塞部材を設けても、この閉塞部材が干渉することなく手摺を伸縮させることができる。
（２）一方の端部手摺、中間手摺及び他方の端部手摺に床面との間の隙間を塞ぐ閉塞部材それぞれ設けられているので、手摺と床面との間から小物等が階下へ落下することを確実に防止できる。
（３）請求項２に記載の発明においても、前記（１）〜（２）と同様な効果が得られると共に、化粧板に閉塞部材取付部を形成することで、容易に閉塞部材取付部を形成することができる。
（４）また、フレーム状の一方の手摺本体等を用いることにより、軽量化を図ることができる。
（５）請求項３に記載の発明においても、前記（１）〜（４）と同様な効果が得られる。
【図面の簡単な説明】
【００１０】
図１乃至図１０は本発明の第１の実施形態を示す説明図である。
図１１乃至図１３は本発明の第２の実施形態を示す説明図である。
【図１】第１の実施形態を示す手摺の設置状態の平面図（通常時）。
【図２】図１の２−２線に沿う断面図。
【図３】図１の３−３線に沿う断面図。
【図４】手摺の説明図。
【図５】一方の端部手摺の斜視説明図。
【図６】中間手摺の斜視説明図。
【図７】他方の端部手摺の斜視説明図。
【図８】地震で目地部が狭くなった正面視側からの動作説明図。
【図９】地震で目地部が広くなった正面視側からの動作説明図。
【図１０】地震で躯体が異なる前後方向に揺れ動いた状態の平面視側からの動作説明図。
【図１１】第２の実施形態を示す手摺の設置状態の平面図（通常時）。
【図１２】図１１の１２−１２線に沿う断面図。
【図１３】図１１の１３−１３線に沿う断面図。
【発明を実施するための形態】
【００１１】
以下、図面に示す本発明を実施するための形態により、本発明を詳細に説明する。
図１乃至図１０に示す本発明を実施するための第１の形態において、１は目地部２を介して設けられた一方の躯体３及び他方の躯体４間に設置された手摺である。
なお、左右方向とは図８における左右方向であり、前後方向とは図３における左右方向をいい、上下方向とは図３における上下方向をいう。
【００１２】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１３】
この手摺１は、一方の端部手摺５と、中間手摺７と、他方の端部手摺６が左右の躯体３、４の間（目地部２）に「入れ子状」に組み合わせられている。
【００１４】
すなわち、図１乃至図４に示すように、その一端部（被取付部）５ａが一方の躯体３に取り付けられ、底面及び他方の躯体側の側面に開口を有する一方の端部手摺５と、該一方の端部手摺５に対して前記他方の躯体４に設けられた他方の端部手摺６と、前記一方の端部手摺５と他方の端部手摺６の間に介在し、その一端部側が前記一方の端部手摺５の内部に挿入されているとともに、他端部側が前記他方の端部手摺６に支持され、底面及び両側面に開口を有する中間手摺７と、該中間手摺７を所定の位置に位置付けさせるパンタグラフ状の位置調整機構８と、前記一方の端部手摺５、中間手摺７及び他方の端部手摺６と床面との間の隙間を塞ぐ（取付状態によっては微小な隙間があいていてもよい）閉塞部材９で構成されている。
【００１５】
なお、一方の躯体３と他方の躯体４の間の目地部２は床用目地プレート１０によって塞がれており、前記閉塞部材９は、この床用目地プレート１０の床面（上面）と一方の端部手摺５、中間手摺７及び他方の端部手摺６の各底面との間の隙間又は他方の躯体４の渡り廊下１１の床面と一方の端部手摺５、中間手摺７及び他方の端部手摺６の各底面との間の隙間を閉塞部材９で塞ぐものである。なお、この閉塞部材９は一方の端部手摺５、中間手摺７及び他方の端部手摺６にそれぞれ設けられた閉塞部材取付部１２に取り付けられている。
【００１６】
前記一方の躯体３は、図１乃至図３等に示すように、本実施形態においては他方の躯体４と対向する位置に開口部１３が形成されており、他方の躯体４の該開口部１３に対応する部位には、渡り廊下１１が形成されている。
本発明の手摺１はこの開口部１３の側部の壁面と、渡り廊下１１の突出部位の間に設けられるものである。
【００１７】
一方の端部手摺５は、本実施形態においては図５に示すように、フレーム状の一方の手摺本体１４と、この一方の手摺本体１４の表面を覆うように固定された一対の化粧板１５と、この一対の化粧板１５の継ぎ目部分を覆うキャップ部材１６とで構成されている。この一対の化粧板１５のうち、一方の化粧板１５ａの下端部は折り曲げられ、閉塞部材取付部１２ａが形成される。
【００１８】
一方の化粧板１５ａの略垂直下方へ延伸する下端部は、本実施形態においては、略直角に折り曲げられ、所定長さ横方向（前後方向）に延伸した後、略直角に上方向に折り曲げられ（第１係合部１７を形成し）、所定長さ上方向に延伸した後、略垂直下方向へ折り返されている。この終端部付近が閉塞部材取付部１２ａとなり、この部位に閉塞部材９がビス等で固定される。
【００１９】
他方の化粧板１５ｂは、略垂直下方へ延伸する下端部が略逆コ字状に折り曲げられており、こちらの化粧板１５ｂには本実施形態では閉塞部材取付部１２ａは形成されない。なお、この終端部は第１係合部１７となる。
【００２０】
これらの一対の化粧板１５は、その上部が一方の手摺本体１４の上面に当接するように、上端部が略直角に折り曲げられている。この上端部付近がフレーム状の一方の手摺本体１４にビス等で固定されており、上部の継ぎ目部分にはキャップ部材１６が取り付けられる。なお、キャップ部材１６と化粧板１５が面一となるように、一対の化粧板１５の上部に凹所状のキャップ部材取付部を形成するとよい。
【００２１】
この一方の端部手摺５の内部の側面には、左右方向に延在する支持レール１８が固定されている。この支持レール１８を後述する中間手摺の転動部材１９が転動する。支持レール１８は断面視アングル状の金具又は角パイプで構成されており、本実施形態においてはアングル状の金具を用いている。
【００２２】
一方の端部手摺５は、全体として正面視略長方形状で、その一端部５ａが一方の躯体３に取付部材２０を介して取り付けられている。なお、この取付部材２０を介して取り付けられる部位には、凸部状の被取付部５ａが形成されている。一方の手摺部材５は、底部及び突出端部の側面が開口しており、突出端部の端面は下向きコ字状に形成されている。
【００２３】
中間手摺７は、本実施形態においては図６に示すように、フレーム状の中間手摺本体２１と、この中間手摺本体２１の表面を覆うように固定された一対の化粧板２２と、この一対の化粧板２２の継ぎ目部分を覆うキャップ部材２３とで構成されている。この一対の化粧板２２のうち、一方の化粧板２２ａの下端部は折り曲げられ、閉塞部材取付部１２ｂが形成される。
【００２４】
一方の化粧板２２ａの略垂直下方へ延伸する下端部は、本実施形態においては、略垂直上向きとなるように折り返され、所定長さ上方向に延伸（第１被係合部２４を形成）した後、略直角に折り曲げられて所定長さ横方向（前後方向）に延伸した後、略直角に上方向に折り曲げられ、所定長さ上方向に延伸（第２係合部２５を形成）し、略垂直下方向へ折り返される。この終端部付近が閉塞部材取付部１２ｂとなり、この部位に閉塞部材９がビス等で固定される。
【００２５】
他方の化粧板２２ｂは、略垂直下方へ延伸する下端部が略垂直上向きとなるように折り返され、所定長さ上方向に延伸（第１被係合部２４を形成）した後、略直角に折り曲げられて横方向へ延伸する。所定長さ延伸した後、略直角に折り曲げられ、略垂直上方へ延伸（第２係合部２５を形成）して終端となる。こちらの化粧板２２ｂには本実施形態では閉塞部材取付部１２ｂは形成されない。
【００２６】
中間手摺７は、全体として正面視略長方形状で底面及び左右の側面が開口しており、断面視で下向きコ字状の断面形状に形成されている。
【００２７】
これらの一対の化粧板２２は、その上部が中間手摺本体２１の上面に当接するように、上端部が略直角に折り曲げられている。この上端部付近がフレーム状の中間手摺本体２１にビス等で固定されており、上部の継ぎ目部分にはキャップ部材２３が取り付けられる。なお、キャップ部材２３と化粧板２２が面一となるように、一対の化粧板２２の上部に凹所状のキャップ部材取付部を形成するとよい。
【００２８】
この中間手摺７の一方の躯体３側の端部付近の上面（キャップ部材２３の上面）には、支持レール１４を転動する転動部材１９が左右方向に突出するように設けられている。この転動部材１９によって中間手摺７の一方の躯体３側が支持される。
【００２９】
また、中間手摺７の他方の躯体４側の端部は、内部に他方の端部手摺６が挿入されるので、この他方の端部手摺６の上面に支持される。他方の端部手摺６の上面には必要に応じて転動部材や滑り材等を設けることが好適である。
【００３０】
他方の端部手摺６は、本実施形態においては図７に示すように、フレーム状の他方の端部手摺本体２７と、この他方の端部手摺本体２７の表面を覆うように固定された一対の化粧板２８と、この一対の化粧板２８の継ぎ目部分を覆うキャップ部材２９とで構成されている。この一対の化粧板２８のうち、一方の化粧板２８ａの下端部は折り曲げられ、閉塞部材取付部１２ｃが形成される。
【００３１】
一方の化粧板２８ａの略垂直下方へ延伸する下端部は、本実施形態においては、略垂直上向きとなるように折り返され、所定長さ上方向に延伸（第２被係合部３０を形成）した後、略直角に折り曲げられて所定長さ横方向（前後方向）に延伸した後、略直角に下方向に折り曲げられる。この終端部付近が閉塞部材取付部１２ｃとなり、この部位に閉塞部材９がビス等で固定される。
【００３２】
他方の化粧板２８ｂは、略垂直下方へ延伸する下端部が略垂直上向きとなるように折り返され、所定長さ上方向に延伸（第２被係合部３０を形成）した後、略直角に折り曲げられて横方向へ延伸して終端となる。こちらの化粧板２０ｂには本実施形態では閉塞部材取付部１２ｃは形成されない。
【００３３】
これらの一対の化粧板２８は、その上部が他方の端部手摺本体２７の上面に当接するように、上端部が略直角に折り曲げられている。この上端部付近がフレーム状の他方の端部手摺本体２７にビス等で固定されており、上部の継ぎ目部分にはキャップ部材２９が取り付けられる。なお、キャップ部材２９と化粧板２８が面一となるように、一対の化粧板２８の上部に凹所状のキャップ部材取付部を形成するとよい。
【００３４】
なお、前記第１被係合部２４には、前記一方の端部手摺５の一対の化粧板１５の第１係合部１７が係合し、前記第２被係合部３０には、前記中間手摺７の一対の化粧板２２の第２係合部２５が係合することで、一方の端部手摺５と中間手摺７及び中間手摺７と他方の端部手摺６がそれぞれ係合状態となる。
【００３５】
他方の端部手摺６は、全体として正面視略長方形状で、その一端部が他方の躯体４の渡り廊下１１の突出端部に取付部材２０を介して取り付けられている。
他方の手摺部材６の突出端部側は中間手摺７内部に挿入され、他方の端部手摺６上面が中間手摺７の上部を支持した状態となる。
【００３６】
一方の端部手摺５、他方の端部手摺６、中間手摺７は、それぞれ目地部２の約１／２程度の長さに形成されており、その下端部（閉塞部材取付部１２の下端部）は略同じ高さに形成されている。
【００３７】
左右の端部手摺５、６を取り付けている取付部材２０は、一方の躯体３の壁面又は渡り廊下１１の突出端部の壁面に固定される固定部材３１と、該固定部材３１に前後方向に回動可能に取り付けられるとともに、端部手摺５、６を上下方向に回動可能に取付ける取付ピン３２を備える可動部材３３とで構成されている。
【００３８】
左右の端部手摺５、６は、この可動部材３３の取付ピン３２して上下方向に回動可能に取り付けられる。このように取付けることにより、左右の躯体３、４のいずれかが不等沈下したような場合であっても、その動きに追従することができる。
本実施形態においては不等沈下した場合に左右の端部手摺５、６が可動部材３３に干渉しないように、可動部材と端部手摺５、６の間に若干の隙間を有して取り付けているが、端部手摺５、６の躯体側の側面を緩やかな山型（取付ピン３２の位置が頂点となるような山型）に形成してもよい。
【００３９】
なお、支持レール１８等を備えているため、一方の端部手摺５と中間手摺７及び中間手摺７と他方の端部手摺６には横方向に隙間が生じるが、この隙間についてもパッキンや後述する閉塞部材９のようなゴム板等で塞ぐことが望ましい。
【００４０】
位置調整機構８は、本実施形態においてはパンタグラフ状のリンク部材３４を用いており、その一端部が一方の端部手摺５の内部を通過して、一方の端部手摺５の一方の躯体３側の内部壁面に取り付けられ、その他端部は、他方の端部手摺６の突出端部に取り付けられ、その中央枢支部３５は中間手摺７の一方の端部手摺５側の端部付近に位置する。この中央枢支部３５には、連結ピン３６が設けられており、この連結ピン３６の両端部は中間手摺７の内側側面に固定される。これにより、中間手摺７は一方の端部手摺５と他方の端部手摺６の略中間に位置することができる。
【００４１】
閉塞部材９は、本実施形態においては板ゴムで形成されており、一方の端部手摺５、中間手摺７及び他方の端部手摺６の底面に横長のヒレ状にそれぞれ固定される。付言すると、その上下方向の長さは、床面と一方の端部手摺５、中間手摺７及び他方の端部手摺６の間の隙間よりも長く形成されており、その下端部が床面に押圧され外側に湾曲している。このような寸法にすることにより、確実に床面との隙間を塞ぐことができる。
【００４２】
また、前記一方の端部手摺５及び中間手摺７は、その底面が開口しているため、地震によって目地部２が狭くなった場合等も、閉塞部材９が隣接する手摺に衝突すること等がない。
【００４３】
前記床用目地プレート１０は、本実施形態においては、一方の躯体３の開口部１３の下部壁面に固定された前後方向に延在する目地プレート支持レール３７にその一端部が滑り部材等を介して前後方向にスライド移動可能に支持されるとともに、前記渡り廊下１１の床面にその他端部が左右方向にスライド移動可能に支持される。この目地プレート１０の他端部には、床面との段差を解消するように傾斜面３８が形成されている。
【００４４】
本実施形態においては、目地プレート１０は一枚の板状のものであるが、例えば、浅皿状の目地プレートにモルタル等を充填した目地プレートや、その他公知の目地プレートを用いてもよい。
【００４５】
地震で躯体３、４が左右方向に揺れ動き目地部２が狭くなると、図８に示すように、目地プレート１０は渡り廊下１１の床面を左右方向にスライド移動するとともに、中間手摺７が一方の手摺５の内部に入り込み、かつ、他方の手摺６が中間手摺７の内部に入り込むことにより手摺１が縮小し、地震による揺れ動きを吸収する。
【００４６】
地震で躯体３、４が左右方向に揺れ動き目地部２が広くなると、図９に示すように、目地プレート１０は渡り廊下１１の床面を左右方向にスライド移動するとともに、中間手摺７が一方の手摺５の内部に入り込んでいる長さが小さくなり、ライド移動するとともに、中間手摺７が一方の手摺５の内部に入り込み、かつ、他方の手摺６が中間手摺７の内部に入り込んでいる長さが小さくなることにより、手摺１が伸長し、地震による揺れ動きを吸収する。
【００４７】
地震で躯体３、４が異なる前後方向に揺れ動くと、図１０に示すように、一方の端部手摺５を取り付けている可動部材３３及び他方の端部手摺６を取り付けている可動部材３３が前後方向に回動し、地震による揺れ動きを吸収する。
【００４８】
[発明を実施するための異なる形態]
次に、図１１乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１１乃至図１３に示す本発明を実施するための第２の形態において、前記本発明を実施するための第１の形態と主に異なる点は、複数の手摺部材を用いて中間手摺７Ａを形成した点で、このような手摺１Ａにしても、前記本発明を実施するための第１の形態と同様の作用効果を得ることができる。
【００４９】
付言すると、本実施形態においては複数個の中間手摺７Ａは、第１の中間手摺７ａ及び第２の中間手摺７ｂとで構成されている。
【００５０】
第１の中間手摺７ａは、正面視略長方形状で底面及び左右の側面が開口しており、フレーム状の中間手摺本体２１ａと、この中間手摺本体２１ａの表面を覆うように固定された一対の化粧板２２Ａと、この一対の化粧板２２Ａの継ぎ目部分を覆うキャップ部材２３ａと、内側面に設けられた左右方向に延在する断面視略リップ溝形状のガイドレール３９と、支持レール１４を転動する転動部材１９とで構成されている。
【００５１】
この一対の化粧板２２Ａは前記第１の実施形態と同様に折り曲げ加工がされている。
第２の中間手摺７ｂは、正面視略長方形状で底面及び左右の側面が開口しており、フレーム状の中間手摺本体２１ｂと、この中間手摺本体２１ｂの表面を覆うように固定された一対の化粧板２２Ｂと、この一対の化粧板２２Ｂの継ぎ目部分を覆うキャップ部材２３ｂと、ガイドレール３９を転動する転動部材２６とで構成されている。
【００５２】
この一対の化粧板２２Ｂも前記第１の実施形態と同様に折り曲げ加工がされている。
本実施形態では、位置調整機構８Ａとして、複数個の中央枢支部２２を有するリンク部材２１が用いられる。このリンク部材３４の中央枢支部３５の連結ピン３６は第１の中間手摺７ａ及び第２の中間手摺７ｂにそれぞれ取り付けられ、中間手摺７Ａを支持する。
【００５３】
なお、本発明の実施形態においては左右の端部手摺を前後上下方向に回動可能な取付部材を介して取り付けているが、ヒンジ部材のように前後方向にのみ回動可能な部材を介して取付けてもよいし、前後方向への揺れ動きを無視できるような場合には、左右の端部手摺を左右の躯体に固定的に取付けてもよい。
【００５４】
位置調整機構としてリンク部材を用いるものについて説明したが、例えば左右の躯体等にそれぞれバネ部材の一端部を固定し、これらのバネ部材の他端部を中央手摺や中間手摺に取り付け、任意の位置に位置するように付勢してもよい。
本発明の実施形態においては、左右の端部手摺及び中間手摺はフレーム状の本体と化粧板とで構成されるものについて説明したが、化粧板を備えない箱状や板状の手摺を用いてもよい。この場合、手摺の下部に閉塞部材取付部を設けて閉塞部材を取付けることができる。
【００５５】
本発明の実施形態においては、化粧板に係合部や被係合部を形成し、端部手摺と中間手摺が係合するものについて説明したが、係合部や被係合部を形成しなくてもよい。
化粧板については、一方の化粧板と他方の化粧板のように一対の部材として説明したが、化粧板を分割せず、一方の化粧板と他方の化粧板が一体となったような化粧板を用いてもよい。
【産業上の利用可能性】
【００５６】
本発明は目地部に用いる手摺を製造する産業で利用される。
【符号の説明】
【００５７】
１、１Ａ：手摺、                    ２：目地部、
３：一方の躯体、                    ４：他方の躯体、
５：一方の端部手摺、                ６：他方の端部手摺、
７、７Ａ：中間手摺、                ８、８Ａ：位置調整機構、
９：閉塞部材、                      １０：床用目地プレート、
１１：渡り廊下、                    １２：閉塞部材取付部、
１３：開口部、                      １４：一方の手摺本体、
１５：化粧板、                      １６：キャップ部材、
１７：第１係合部、                  １８：支持レール、
１９：転動部材、                    ２０：取付部材、
２１：中間手摺本体、                ２２、２２Ａ、２２Ｂ：化粧板、
２３：キャップ部材、                ２４：第１被係合部、
２５：第２係合部、                  ２６：転動部材、
２７：他方の端部手摺本体、          ２８：化粧板、
２９：キャップ部材、                ３０：第２被係合部、
３１：固定部材、                    ３２：取付ピン、
３３：可動部材、                    ３４：リンク部材、
３５：中央枢支部、                  ３６：連結ピン、
３７：目地プレート支持レール、      ３８：傾斜面、
３９：ガイドレール。
【図１】
2018145588.tif 000003
【図２】
2018145588.tif 000004
【図３】
2018145588.tif 000005
【図４】
2018145588.tif 000006
【図５】
2018145588.tif 000007
【図６】
2018145588.tif 000008
【図７】
2018145588.tif 000009
【図８】
2018145588.tif 000010
【図９】
2018145588.tif 000011
【図１０】
2018145588.tif 000012
【図１１】
2018145588.tif 000013
【図１２】
2018145588.tif 000014
【図１３】
2018145588.tif 000015
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられた閉塞部材取付部と、該閉塞部材取付部にそれぞれ取り付けられ、床面との間の隙間を塞ぐ閉塞部材とで構成され、前記一方の端部手摺は、その内側面に備えられた支持レールと、フレーム状の一方の手摺本体と、この一方の手摺本体の表面を覆うように固定された化粧板とで構成され、前記閉塞部材取付部は該化粧板に形成されており、前記他方の手摺は、フレーム状の他方の手摺本体と、この他方の手摺本体の表面を覆うように固定された化粧板とで構成され、前記閉塞部材取付部は該化粧板に形成されており、前記中間手摺は、その一端部側に備えられた前記支持レールを転動する転動部材と、フレーム状の中間手摺本体と、この中間手摺本体の表面を覆うように固定された化粧板とで構成され、前記閉塞部材取付部は該化粧板に形成されている手摺。
【請求項２】
前記一方の端部手摺、中間手摺及び他方の端部手摺の下端部は、略同じ高さに形成されていることを特徴とする請求項１に記載の手摺。
【手続補正２】
【補正対象書類名】明細書
【補正対象項目名】全文
【補正方法】変更
【補正の内容】
【発明の詳細な説明】
【技術分野】
【０００１】
本発明は目地部を介して設けられた躯体の間の目地部に設けられる手摺に関する。
【背景技術】
【０００２】
従来、目地部に設けられる手摺としては、「目地部を介して設けられた左右の躯体に他方の躯体方向へ突出するように設けられた一対の端部壁と、この一対の端部壁がそれぞれスライド移動可能に入り込む、該一対の端部壁の先端部が中央部に位置し、外側端部が一対の端部壁のほぼ中央部に位置する一対の筒状の可動壁と、この一対の筒状の可動壁がそれぞれスライド移動可能に入り込む外側端部が、該一対の筒状の可動壁のほぼ中央部に位置する一対の筒状の可動壁の約２倍の長さの筒状の中央壁と、両端部が前記一対の端部壁に取付けられ、地震により目地部が広くなったり、狭くなるように揺れ動いた場合に、前記中央壁を目地部の中央部に位置させるとともに、一対の筒状の可動壁をスライド移動させて、その揺れ動きを吸収する壁伸縮装置とからなることを特徴とする伸縮壁」が知られている（特許文献１）。
【０００３】
しかしながら、このような伸縮壁（手摺）は、手摺の底面が目地プレートよりも上方に浮いた状態で位置しており、かつ、筒状の壁部材に、小さい壁部材が入り込む構造となっているため、壁部材の底面に目地プレートとの隙間を塞ぐゴム等を設けることができなかった。
【０００４】
また、伸縮壁の底面が段差状になっているため、目地プレート側に隙間を塞ぐゴム等を設けることもできなかった。
そのため、例えば小銭や小物を誤って落としてしまった場合、手摺と目地プレートの隙間から落下物が階下に落ちるという危険があった。
【先行技術文献】
【特許文献】
【０００５】
【特許文献１】特許第４６３８５２０号公報
【発明の概要】
【発明が解決しようとする課題】
【０００６】
本発明は以上のような従来の欠点に鑑み、伸縮可能で、かつ、手摺の底面と目地プレートの間の隙間を塞ぐことができる手摺を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の手摺は、左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられた閉塞部材取付部と、該閉塞部材取付部にそれぞれ取り付けられ、床面との間の隙間を塞ぐ閉塞部材とで構成され、前記一方の端部手摺は、その内側面に備えられた支持レールと、フレーム状の一方の手摺本体と、この一方の手摺本体の表面を覆うように固定された化粧板とで構成され、前記閉塞部材取付部は該化粧板に形成されており、前記他方の手摺は、フレーム状の他方の手摺本体と、この他方の手摺本体の表面を覆うように固定された化粧板とで構成され、前記閉塞部材取付部は該化粧板に形成されており、前記中間手摺は、その一端部側に備えられた前記支持レールを転動する転動部材と、フレーム状の中間手摺本体と、この中間手摺本体の表面を覆うように固定された化粧板とで構成され、前記閉塞部材取付部は該化粧板に形成されている。
【発明の効果】
【０００９】
以上の説明から明らかなように、本発明にあっては次に列挙する効果が得られる。
（１）請求項１に記載の発明においては、一方の手摺（中央手摺）及び中間手摺の底面が開口しているので、一方の端部手摺、中間手摺及び他方の端部手摺の底部の閉塞部材取付部に閉塞部材を設けても、この閉塞部材が干渉することなく手摺を伸縮させることができる。
（２）一方の端部手摺、中間手摺及び他方の端部手摺に床面との間の隙間を塞ぐ閉塞部材それぞれ設けられているので、手摺と床面との間から小物等が階下へ落下することを確実に防止できる。
（３）請求項２に記載の発明においても、前記（１）〜（２）と同様な効果が得られると共に、化粧板に閉塞部材取付部を形成することで、容易に閉塞部材取付部を形成することができる。
（４）また、フレーム状の一方の手摺本体等を用いることにより、軽量化を図ることができる。
（５）請求項３に記載の発明においても、前記（１）〜（４）と同様な効果が得られる。
【図面の簡単な説明】
【００１０】
図１乃至図１０は本発明の第１の実施形態を示す説明図である。
図１１乃至図１３は本発明の第２の実施形態を示す説明図である。
【図１】第１の実施形態を示す手摺の設置状態の平面図（通常時）。
【図２】図１の２−２線に沿う断面図。
【図３】図１の３−３線に沿う断面図。
【図４】手摺の説明図。
【図５】一方の端部手摺の斜視説明図。
【図６】中間手摺の斜視説明図。
【図７】他方の端部手摺の斜視説明図。
【図８】地震で目地部が狭くなった正面視側からの動作説明図。
【図９】地震で目地部が広くなった正面視側からの動作説明図。
【図１０】地震で躯体が異なる前後方向に揺れ動いた状態の平面視側からの動作説明図。
【図１１】第２の実施形態を示す手摺の設置状態の平面図（通常時）。
【図１２】図１１の１２−１２線に沿う断面図。
【図１３】図１１の１３−１３線に沿う断面図。
【発明を実施するための形態】
【００１１】
以下、図面に示す本発明を実施するための形態により、本発明を詳細に説明する。
図１乃至図１０に示す本発明を実施するための第１の形態において、１は目地部２を介して設けられた一方の躯体３及び他方の躯体４間に設置された手摺である。
なお、左右方向とは図８における左右方向であり、前後方向とは図３における左右方向をいい、上下方向とは図３における上下方向をいう。
【００１２】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１３】
この手摺１は、一方の端部手摺５と、中間手摺７と、他方の端部手摺６が左右の躯体３、４の間（目地部２）に「入れ子状」に組み合わせられている。
【００１４】
すなわち、図１乃至図４に示すように、その一端部（被取付部）５ａが一方の躯体３に取り付けられ、底面及び他方の躯体側の側面に開口を有する一方の端部手摺５と、該一方の端部手摺５に対して前記他方の躯体４に設けられた他方の端部手摺６と、前記一方の端部手摺５と他方の端部手摺６の間に介在し、その一端部側が前記一方の端部手摺５の内部に挿入されているとともに、他端部側が前記他方の端部手摺６に支持され、底面及び両側面に開口を有する中間手摺７と、該中間手摺７を所定の位置に位置付けさせるパンタグラフ状の位置調整機構８と、前記一方の端部手摺５、中間手摺７及び他方の端部手摺６と床面との間の隙間を塞ぐ（取付状態によっては微小な隙間があいていてもよい）閉塞部材９で構成されている。
【００１５】
なお、一方の躯体３と他方の躯体４の間の目地部２は床用目地プレート１０によって塞がれており、前記閉塞部材９は、この床用目地プレート１０の床面（上面）と一方の端部手摺５、中間手摺７及び他方の端部手摺６の各底面との間の隙間又は他方の躯体４の渡り廊下１１の床面と一方の端部手摺５、中間手摺７及び他方の端部手摺６の各底面との間の隙間を閉塞部材９で塞ぐものである。なお、この閉塞部材９は一方の端部手摺５、中間手摺７及び他方の端部手摺６にそれぞれ設けられた閉塞部材取付部１２に取り付けられている。
【００１６】
前記一方の躯体３は、図１乃至図３等に示すように、本実施形態においては他方の躯体４と対向する位置に開口部１３が形成されており、他方の躯体４の該開口部１３に対応する部位には、渡り廊下１１が形成されている。
本発明の手摺１はこの開口部１３の側部の壁面と、渡り廊下１１の突出部位の間に設けられるものである。
【００１７】
一方の端部手摺５は、本実施形態においては図５に示すように、フレーム状の一方の手摺本体１４と、この一方の手摺本体１４の表面を覆うように固定された一対の化粧板１５と、この一対の化粧板１５の継ぎ目部分を覆うキャップ部材１６とで構成されている。この一対の化粧板１５のうち、一方の化粧板１５ａの下端部は折り曲げられ、閉塞部材取付部１２ａが形成される。
【００１８】
一方の化粧板１５ａの略垂直下方へ延伸する下端部は、本実施形態においては、略直角に折り曲げられ、所定長さ横方向（前後方向）に延伸した後、略直角に上方向に折り曲げられ（第１係合部１７を形成し）、所定長さ上方向に延伸した後、略垂直下方向へ折り返されている。この終端部付近が閉塞部材取付部１２ａとなり、この部位に閉塞部材９がビス等で固定される。
【００１９】
他方の化粧板１５ｂは、略垂直下方へ延伸する下端部が略逆コ字状に折り曲げられており、こちらの化粧板１５ｂには本実施形態では閉塞部材取付部１２ａは形成されない。なお、この終端部は第１係合部１７となる。
【００２０】
これらの一対の化粧板１５は、その上部が一方の手摺本体１４の上面に当接するように、上端部が略直角に折り曲げられている。この上端部付近がフレーム状の一方の手摺本体１４にビス等で固定されており、上部の継ぎ目部分にはキャップ部材１６が取り付けられる。なお、キャップ部材１６と化粧板１５が面一となるように、一対の化粧板１５の上部に凹所状のキャップ部材取付部を形成するとよい。
【００２１】
この一方の端部手摺５の内部の側面には、左右方向に延在する支持レール１８が固定されている。この支持レール１８を後述する中間手摺の転動部材１９が転動する。支持レール１８は断面視アングル状の金具又は角パイプで構成されており、本実施形態においてはアングル状の金具を用いている。
【００２２】
一方の端部手摺５は、全体として正面視略長方形状で、その一端部５ａが一方の躯体３に取付部材２０を介して取り付けられている。なお、この取付部材２０を介して取り付けられる部位には、凸部状の被取付部５ａが形成されている。一方の手摺部材５は、底部及び突出端部の側面が開口しており、突出端部の端面は下向きコ字状に形成されている。
【００２３】
中間手摺７は、本実施形態においては図６に示すように、フレーム状の中間手摺本体２１と、この中間手摺本体２１の表面を覆うように固定された一対の化粧板２２と、この一対の化粧板２２の継ぎ目部分を覆うキャップ部材２３とで構成されている。この一対の化粧板２２のうち、一方の化粧板２２ａの下端部は折り曲げられ、閉塞部材取付部１２ｂが形成される。
【００２４】
一方の化粧板２２ａの略垂直下方へ延伸する下端部は、本実施形態においては、略垂直上向きとなるように折り返され、所定長さ上方向に延伸（第１被係合部２４を形成）した後、略直角に折り曲げられて所定長さ横方向（前後方向）に延伸した後、略直角に上方向に折り曲げられ、所定長さ上方向に延伸（第２係合部２５を形成）し、略垂直下方向へ折り返される。この終端部付近が閉塞部材取付部１２ｂとなり、この部位に閉塞部材９がビス等で固定される。
【００２５】
他方の化粧板２２ｂは、略垂直下方へ延伸する下端部が略垂直上向きとなるように折り返され、所定長さ上方向に延伸（第１被係合部２４を形成）した後、略直角に折り曲げられて横方向へ延伸する。所定長さ延伸した後、略直角に折り曲げられ、略垂直上方へ延伸（第２係合部２５を形成）して終端となる。こちらの化粧板２２ｂには本実施形態では閉塞部材取付部１２ｂは形成されない。
【００２６】
中間手摺７は、全体として正面視略長方形状で底面及び左右の側面が開口しており、断面視で下向きコ字状の断面形状に形成されている。
【００２７】
これらの一対の化粧板２２は、その上部が中間手摺本体２１の上面に当接するように、上端部が略直角に折り曲げられている。この上端部付近がフレーム状の中間手摺本体２１にビス等で固定されており、上部の継ぎ目部分にはキャップ部材２３が取り付けられる。なお、キャップ部材２３と化粧板２２が面一となるように、一対の化粧板２２の上部に凹所状のキャップ部材取付部を形成するとよい。
【００２８】
この中間手摺７の一方の躯体３側の端部付近の上面（キャップ部材２３の上面）には、支持レール１４を転動する転動部材１９が左右方向に突出するように設けられている。この転動部材１９によって中間手摺７の一方の躯体３側が支持される。
【００２９】
また、中間手摺７の他方の躯体４側の端部は、内部に他方の端部手摺６が挿入されるので、この他方の端部手摺６の上面に支持される。他方の端部手摺６の上面には必要に応じて転動部材や滑り材等を設けることが好適である。
【００３０】
他方の端部手摺６は、本実施形態においては図７に示すように、フレーム状の他方の端部手摺本体２７と、この他方の端部手摺本体２７の表面を覆うように固定された一対の化粧板２８と、この一対の化粧板２８の継ぎ目部分を覆うキャップ部材２９とで構成されている。この一対の化粧板２８のうち、一方の化粧板２８ａの下端部は折り曲げられ、閉塞部材取付部１２ｃが形成される。
【００３１】
一方の化粧板２８ａの略垂直下方へ延伸する下端部は、本実施形態においては、略垂直上向きとなるように折り返され、所定長さ上方向に延伸（第２被係合部３０を形成）した後、略直角に折り曲げられて所定長さ横方向（前後方向）に延伸した後、略直角に下方向に折り曲げられる。この終端部付近が閉塞部材取付部１２ｃとなり、この部位に閉塞部材９がビス等で固定される。
【００３２】
他方の化粧板２８ｂは、略垂直下方へ延伸する下端部が略垂直上向きとなるように折り返され、所定長さ上方向に延伸（第２被係合部３０を形成）した後、略直角に折り曲げられて横方向へ延伸して終端となる。こちらの化粧板２０ｂには本実施形態では閉塞部材取付部１２ｃは形成されない。
【００３３】
これらの一対の化粧板２８は、その上部が他方の端部手摺本体２７の上面に当接するように、上端部が略直角に折り曲げられている。この上端部付近がフレーム状の他方の端部手摺本体２７にビス等で固定されており、上部の継ぎ目部分にはキャップ部材２９が取り付けられる。なお、キャップ部材２９と化粧板２８が面一となるように、一対の化粧板２８の上部に凹所状のキャップ部材取付部を形成するとよい。
【００３４】
なお、前記第１被係合部２４には、前記一方の端部手摺５の一対の化粧板１５の第１係合部１７が係合し、前記第２被係合部３０には、前記中間手摺７の一対の化粧板２２の第２係合部２５が係合することで、一方の端部手摺５と中間手摺７及び中間手摺７と他方の端部手摺６がそれぞれ係合状態となる。
【００３５】
他方の端部手摺６は、全体として正面視略長方形状で、その一端部が他方の躯体４の渡り廊下１１の突出端部に取付部材２０を介して取り付けられている。
他方の手摺部材６の突出端部側は中間手摺７内部に挿入され、他方の端部手摺６上面が中間手摺７の上部を支持した状態となる。
【００３６】
一方の端部手摺５、他方の端部手摺６、中間手摺７は、それぞれ目地部２の約１／２程度の長さに形成されており、その下端部（閉塞部材取付部１２の下端部）は略同じ高さに形成されている。
【００３７】
左右の端部手摺５、６を取り付けている取付部材２０は、一方の躯体３の壁面又は渡り廊下１１の突出端部の壁面に固定される固定部材３１と、該固定部材３１に前後方向に回動可能に取り付けられるとともに、端部手摺５、６を上下方向に回動可能に取付ける取付ピン３２を備える可動部材３３とで構成されている。
【００３８】
左右の端部手摺５、６は、この可動部材３３の取付ピン３２して上下方向に回動可能に取り付けられる。このように取付けることにより、左右の躯体３、４のいずれかが不等沈下したような場合であっても、その動きに追従することができる。
本実施形態においては不等沈下した場合に左右の端部手摺５、６が可動部材３３に干渉しないように、可動部材と端部手摺５、６の間に若干の隙間を有して取り付けているが、端部手摺５、６の躯体側の側面を緩やかな山型（取付ピン３２の位置が頂点となるような山型）に形成してもよい。
【００３９】
なお、支持レール１８等を備えているため、一方の端部手摺５と中間手摺７及び中間手摺７と他方の端部手摺６には横方向に隙間が生じるが、この隙間についてもパッキンや後述する閉塞部材９のようなゴム板等で塞ぐことが望ましい。
【００４０】
位置調整機構８は、本実施形態においてはパンタグラフ状のリンク部材３４を用いており、その一端部が一方の端部手摺５の内部を通過して、一方の端部手摺５の一方の躯体３側の内部壁面に取り付けられ、その他端部は、他方の端部手摺６の突出端部に取り付けられ、その中央枢支部３５は中間手摺７の一方の端部手摺５側の端部付近に位置する。この中央枢支部３５には、連結ピン３６が設けられており、この連結ピン３６の両端部は中間手摺７の内側側面に固定される。これにより、中間手摺７は一方の端部手摺５と他方の端部手摺６の略中間に位置することができる。
【００４１】
閉塞部材９は、本実施形態においては板ゴムで形成されており、一方の端部手摺５、中間手摺７及び他方の端部手摺６の底面に横長のヒレ状にそれぞれ固定される。付言すると、その上下方向の長さは、床面と一方の端部手摺５、中間手摺７及び他方の端部手摺６の間の隙間よりも長く形成されており、その下端部が床面に押圧され外側に湾曲している。
このような寸法にすることにより、確実に床面との隙間を塞ぐことができる。
【００４２】
また、前記一方の端部手摺５及び中間手摺７は、その底面が開口しているため、地震によって目地部２が狭くなった場合等も、閉塞部材９が隣接する手摺に衝突すること等がない。
【００４３】
前記床用目地プレート１０は、本実施形態においては、一方の躯体３の開口部１３の下部壁面に固定された前後方向に延在する目地プレート支持レール３７にその一端部が滑り部材等を介して前後方向にスライド移動可能に支持されるとともに、前記渡り廊下１１の床面にその他端部が左右方向にスライド移動可能に支持される。この目地プレート１０の他端部には、床面との段差を解消するように傾斜面３８が形成されている。
【００４４】
本実施形態においては、目地プレート１０は一枚の板状のものであるが、例えば、浅皿状の目地プレートにモルタル等を充填した目地プレートや、その他公知の目地プレートを用いてもよい。
【００４５】
地震で躯体３、４が左右方向に揺れ動き目地部２が狭くなると、図８に示すように、目地プレート１０は渡り廊下１１の床面を左右方向にスライド移動するとともに、中間手摺７が一方の手摺５の内部に入り込み、かつ、他方の手摺６が中間手摺７の内部に入り込むことにより手摺１が縮小し、地震による揺れ動きを吸収する。
【００４６】
地震で躯体３、４が左右方向に揺れ動き目地部２が広くなると、図９に示すように、目地プレート１０は渡り廊下１１の床面を左右方向にスライド移動するとともに、中間手摺７が一方の手摺５の内部に入り込んでいる長さが小さくなり、ライド移動するとともに、中間手摺７が一方の手摺５の内部に入り込み、かつ、他方の手摺６が中間手摺７の内部に入り込んでいる長さが小さくなることにより、手摺１が伸長し、地震による揺れ動きを吸収する。
【００４７】
地震で躯体３、４が異なる前後方向に揺れ動くと、図１０に示すように、一方の端部手摺５を取り付けている可動部材３３及び他方の端部手摺６を取り付けている可動部材３３が前後方向に回動し、地震による揺れ動きを吸収する。
【００４８】
[発明を実施するための異なる形態]
次に、図１１乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１１乃至図１３に示す本発明を実施するための第２の形態において、前記本発明を実施するための第１の形態と主に異なる点は、複数の手摺部材を用いて中間手摺７Ａを形成した点で、このような手摺１Ａにしても、前記本発明を実施するための第１の形態と同様の作用効果を得ることができる。
【００４９】
付言すると、本実施形態においては複数個の中間手摺７Ａは、第１の中間手摺７ａ及び第２の中間手摺７ｂとで構成されている。
【００５０】
第１の中間手摺７ａは、正面視略長方形状で底面及び左右の側面が開口しており、フレーム状の中間手摺本体２１ａと、この中間手摺本体２１ａの表面を覆うように固定された一対の化粧板２２Ａと、この一対の化粧板２２Ａの継ぎ目部分を覆うキャップ部材２３ａと、内側面に設けられた左右方向に延在する断面視略リップ溝形状のガイドレール３９と、支持レール１４を転動する転動部材１９とで構成されている。
【００５１】
この一対の化粧板２２Ａは前記第１の実施形態と同様に折り曲げ加工がされている。第２の中間手摺７ｂは、正面視略長方形状で底面及び左右の側面が開口しており、フレーム状の中間手摺本体２１ｂと、この中間手摺本体２１ｂの表面を覆うように固定された一対の化粧板２２Ｂと、この一対の化粧板２２Ｂの継ぎ目部分を覆うキャップ部材２３ｂと、ガイドレール３９を転動する転動部材２６とで構成されている。
【００５２】
この一対の化粧板２２Ｂも前記第１の実施形態と同様に折り曲げ加工がされている。
本実施形態では、位置調整機構８Ａとして、複数個の中央枢支部２２を有するリンク部材２１が用いられる。このリンク部材３４の中央枢支部３５の連結ピン３６は第１の中間手摺７ａ及び第２の中間手摺７ｂにそれぞれ取り付けられ、中間手摺７Ａを支持する。
【００５３】
なお、本発明の実施形態においては左右の端部手摺を前後上下方向に回動可能な取付部材を介して取り付けているが、ヒンジ部材のように前後方向にのみ回動可能な部材を介して取付けてもよいし、前後方向への揺れ動きを無視できるような場合には、左右の端部手摺を左右の躯体に固定的に取付けてもよい。
【００５４】
位置調整機構としてリンク部材を用いるものについて説明したが、例えば左右の躯体等にそれぞれバネ部材の一端部を固定し、これらのバネ部材の他端部を中央手摺や中間手摺に取り付け、任意の位置に位置するように付勢してもよい。
本発明の実施形態においては、左右の端部手摺及び中間手摺はフレーム状の本体と化粧板とで構成されるものについて説明したが、化粧板を備えない箱状や板状の手摺を用いてもよい。この場合、手摺の下部に閉塞部材取付部を設けて閉塞部材を取付けることができる。
【００５５】
本発明の実施形態においては、化粧板に係合部や被係合部を形成し、端部手摺と中間手摺が係合するものについて説明したが、係合部や被係合部を形成しなくてもよい。
化粧板については、一方の化粧板と他方の化粧板のように一対の部材として説明したが、化粧板を分割せず、一方の化粧板と他方の化粧板が一体となったような化粧板を用いてもよい。
【産業上の利用可能性】
【００５６】
本発明は目地部に用いる手摺を製造する産業で利用される。
【符号の説明】
【００５７】
１、１Ａ：手摺、                    ２：目地部、
３：一方の躯体、                    ４：他方の躯体、
５：一方の端部手摺、                ６：他方の端部手摺、
７、７Ａ：中間手摺、                ８、８Ａ：位置調整機構、
９：閉塞部材、                      １０：床用目地プレート、
１１：渡り廊下、                    １２：閉塞部材取付部、
１３：開口部、                      １４：一方の手摺本体、
１５：化粧板、                      １６：キャップ部材、
１７：第１係合部、                  １８：支持レール、
１９：転動部材、                    ２０：取付部材、
２１：中間手摺本体、                ２２、２２Ａ、２２Ｂ：化粧板、
２３：キャップ部材、                ２４：第１被係合部、
２５：第２係合部、                  ２６：転動部材、
２７：他方の端部手摺本体、          ２８：化粧板、
２９：キャップ部材、                ３０：第２被係合部、
３１：固定部材、                    ３２：取付ピン、
３３：可動部材、                    ３４：リンク部材、
３５：中央枢支部、                  ３６：連結ピン、
３７：目地プレート支持レール、      ３８：傾斜面、
３９：ガイドレール。